(57)【要約】【課題】歯ブラシの柄に装着した歯間ブラシの使用において歯間ブラシの軸の装着状態をゆるぎなく安定して使用可能にする。。【解決手段】歯ブラシの柄１１に溝部７と穴６を設けて、この溝部と穴を利用して歯間ブラシの軸３に設けた押圧部５を穴６に嵌め込んで、更にくびれ部８を溝部７に入れて歯間ブラシ軸３を挟み込むことができる構成である。実施例１の作用効果は、歯ブラシの柄１１に設けた溝部７と穴６に歯間ブラシの軸３に設けたくびれ部８と押圧部５を入れて前記軸３を挟み込み、歯間ブラシを使用中にそれが抜けることなく安定して使用できる。歯ブラシの柄１の先端周囲に歯間ブラシ入れキャップを被せるキャップタイプ（実施例１）と歯ブラシの柄に設けた歯間ブラシ収納凹部２を有する収納タイプ（実施例２）のいずれも、歯間ブラシの使用方向に対して歯ブラシの柄に歯間ブラシの軸を安定させることができる。【選択図】図１
0003111142.tif 000002
【実用新案登録請求の範囲】
【請求項１】
歯ブラシの柄の端部に底部を有する溝部７ａを設けその溝部に溝底を貫通する穴６を開けてなる歯間ブラシ軸３の取り付け部を設けて、歯間ブラシ軸の端部に前記の溝部に嵌め合わせるくびれ部８と穴６に嵌める押圧部５を設けて、前記穴に押圧部と溝部にはくびれ部を着脱可能にしたことを特徴とする歯間ブラシ付き歯ブラシ。
【請求項２】
歯ブラシの柄１の先端周囲にキャップを被せるキャップ止め部１２を設けて、このキャップ止め部の周りに被せる口部をキャップ端に備え、歯間ブラシを覆うキャップを備えることを特徴とする請求項１に記載の歯間ブラシ付き歯ブラシ。
【請求項３】
歯ブラシの柄に歯間ブラシのブラシ全体が入るスペースを有する歯間ブラシの収納凹部２を設けて該収納凹部には溝部７の中央に開けた穴６を介して溝部の延長部分７ｂが前記収納凹部に連なるようにして、前記穴６より押圧部５を抜き取り方向を変えて差し込むことにより収納凹部に歯間ブラシの全体を収納可能にしたことを特徴とする請求項１に記載の歯間ブラシ付き歯ブラシ。
【考案の詳細な説明】
【技術分野】
【０００１】
本考案は、歯ブラシの柄に装着される歯間歯ブラシの取り付け手段に特徴があって歯間ブラシ軸の安定が可能な脱落がない歯ブラシに関するものである。
【背景技術】
【０００２】
特許文献１〜６に示されているように歯間ブラシ付き歯ブラシの中で、歯間ブラシは、歯ブラシの柄に装着して使用するものであるとして実用に共されている。
実用の歯間ブラシは押し引きして歯間を掃除するためのものであるから、歯ブラシの柄と歯間ブラシの軸を同じ方向に取り付けるものは取り付け部に問題があり、歯ブラシの柄を取っ手として使って歯間ブラシを押し引きするには問題があった。
【０００３】
特許文献１〜６は、歯間ブラシ付の歯ブラシの例である。歯間ブラシは歯ブラシに比べて小さく歯ブラシの柄から外れると使いづらく、失いやすいという欠点があった。
【０００４】
歯間ブラシを歯ブラシに装着して使用する用途において、この欠点は装着方法に関して大きな問題である。具体的には、歯間ブラシを歯ブラシの柄の中に開けた穴に入れたり（特許文献１〜３）、歯間ブラシに蓋を被せるもの（特許文献５）などがあるが歯間ブラシの取り付け状態によりそれが抜けたり、ふたが開いたり、歯間ブラシが外れて欠落したりするなどの問題があった。
【０００５】
この改善策として、本願考案は、歯ブラシの柄と歯間ブラシの軸との連結方法に改良を加えたものである。
【特許文献１】特開２００２−２８０２９号公報
【特許文献２】特開２００２−３０６２４５号公報
【特許文献３】特開２００２−３４６６１号公報
【特許文献４】特開２０００−７００４２号公報
【特許文献５】特開平１１−２４４０４９号公報
【特許文献６】特開平１１−２０６４５８号公報
【考案の開示】
【考案が解決しようとする課題】
【０００６】
解決しようとする問題点は、柄に歯間ブラシの軸を装着して、歯間ブラシの使用において障害となる装着状態をゆるぎなく安定して固定できない点である。
【課題を解決するための手段】
【０００７】
本考案は、歯ブラシの柄に歯間ブラシの軸を装着して使用する状態またはその取り外し後の収納時の歯間ブラシをゆるぎなく安定して装着可能とするため、歯ブラシの柄に底部を有する溝部を設け、柄に設けた溝部で穴の方向に嵌め込まれた押圧部とくびれ部を挟み歯ブラシの柄に装着した歯間ブラシ軸を安定させるようにすることを最も主要な特徴とする。
【考案の効果】
【０００８】
本考案の歯間ブラシ付き歯ブラシは、歯ブラシの柄に歯間ブラシを収納凹部に収納或いは歯間ブラシを使用する状態に取り付けるため、歯ブラシの柄に設けた溝部と穴に歯間ブラシの軸に設けた押圧部とくびれ部を装着できるようにしたので、歯ブラシの柄に設けた溝部と穴に歯間ブラシの軸に設けた押圧部とくびれ部を嵌め込む事によりゆるぎなく安定させることができるので抜け落ちないという利点がある。
【考案を実施するための最良の形態】
【０００９】
歯ブラシの柄に設けた歯間ブラシ収納凹部に歯間ブラシを収納中にも歯間ブラシが抜け落ちることがない、歯間ブラシの使用中にも安定して使用できるようにするという目的を、歯ブラシの柄に設けた溝部と穴に歯間ブラシの軸に設けたくびれ部と押圧部を嵌め込んでゆるぎなく挟み込むことができるようにした歯間ブラシ付き歯ブラシを提供することができる。
【実施例１】
【００１０】
図１〜４は、本考案装置の１実施例の断面図であって、１１は、  歯ブラシの柄、  ２は、    歯間ブラシ収納凹部、  ３は、    歯間ブラシ軸、  ４    は、歯間ブラシ、  ５は、    押圧部、  ６は、    取り付け穴、  ７は、    溝部、  ８は、    くびれ部、  ９は、    底部、１０は、  歯間ブラシ入れキャップ、  １２は、    キャップ止め部である。
【００１１】
実施例１は、歯ブラシの柄１１に溝底９を有する溝部７と溝底を貫通させた穴６を設けて、歯間ブラシの軸３に突設した押圧部５を穴６に入れて、更にくびれ部８を溝部７に入れて歯間ブラシ軸３を挟み込むことができる構成である。
実施例１の作用効果は、歯ブラシの柄１１に設けた溝部７と穴６に歯間ブラシの軸３に設けたくびれ部８と押圧部５を入れて軸３を挟み込み、溝部には溝底があるので歯間ブラシの軸をきつく挟み込むことにより使用中にそれが抜けることなく安定して使用できる。歯ブラシの柄１の先端周囲に歯間ブラシ入れキャップを被せるキャップ止め部１２を設けて、柄１の先端部周囲のキャップ止め部１２に歯間ブラシ入れキャップ１２の口部を被せる。
【００１２】
図１〜４に示すように実施例１は、キャップタイプの歯間ブラシ付き歯ブラシである。歯間ブラシ４は取替え可能である。収納時には歯ブラシの歯間ブラシをキャップ１０に入れて歯ブラシを使用し、使用前にキャップ１０を外す。実施例１の実施方法を示す説明図（図３，４）に示したように歯間ブラシの軸３の押圧部５を穴６に入れ、くびれ部８を溝部７ａに入れる構成で、前後に動かしてこの使用方向に歯間ブラシを使うので歯ブラシの柄から歯間ブラシは抜けにくい。
【実施例２】
【００１３】
図５〜８は、本考案装置の実施例２の実施方法を示す説明図であって、図９は、実施例２の歯間ブラシを歯ブラシの柄に装着するための実施方法を示した説明図、図１０は、実施例２の歯間ブラシの収納凹部に歯間ブラシを収納するための実施方法を示した説明図である。１は、歯ブラシの柄である。
【００１４】
歯ブラシの柄１に歯間ブラシ４のブラシ全体が入るスペースを有する歯間ブラシの収納凹部２を設けて、該収納凹部２には溝部７の中央に開けた穴６を介して溝部の延長部分７ｂが収納凹部２に連なる溝にしてある。歯間ブラシの柄には、前記穴６に押圧部５を方向を変えて差し込むことにより前記収納凹部に歯間ブラシ４の全体を収納可能な凹部を形成した。実施例１の作用効果と同様に、歯ブラシの柄１に設けた溝部７ａ，ｂ と穴６に歯間ブラシの軸３に設けたくびれ部８と押圧部５を差し込んで歯間ブラシ軸３を挟み込み、歯間ブラシを使用中にそれが抜けることなく安定して使用できる。更に、実施例２は、歯ブラシの柄に収納凹部２を設けたので、この歯間ブラシ３の向きを変えて、穴６に押圧部５を嵌め込み溝部にくびれ部８を嵌め込むと歯間ブラシは収納凹部２に納められるものである。
【００１５】
図５〜１０に示すように実施例２は、収納タイプの歯間ブラシ付き歯ブラシである。歯間ブラシ４は取替え可能である。収納時には押圧部５を穴６に嵌め込んで、くびれ部８を溝部７ｂに入れて歯ブラシの歯間ブラシを収納凹部２に納めて歯ブラシとして使用し、使用前に歯間ブラシの押圧部を手で押して取り出し、ブラシを外側に向けて、取り出した穴６に入れる。くびれ部８を溝部７ｂから溝部７ａに入れ替えることにより、歯間ブラシの使用方向に使用しても歯ブラシの柄から歯間ブラシは抜けにくい。
【産業上の利用可能性】
【００１６】
歯ブラシの柄に底部を有する溝部を設けてそこに穴６を設けることによって、その穴６に歯間ブラシの押圧部５を嵌めて、溝部７に歯間ブラシのくびれ部８を入れて歯間ブラシを歯ブラシの柄に取付けることによって、歯ブラシの柄に設けた溝部により歯間ブラシの軸を安定させることができる。実施例１、実施例２の相違点について説明すると、両者の相違点は収納方法の違いにあり、実施例１が歯間ブラシのキャップを歯ブラシの柄先端部のキャップ止め部に被せるものであるのに対して、実施例２は歯ブラシの柄に歯間ブラシ収納凹部を設けておりこの凹部に歯間ブラシの方向を変えて入れることができるものである。
【図面の簡単な説明】
【００１７】
【図１】歯間ブラシ付き歯ブラシの実施方法を示した正面を示す断面図である。（実施例１）
【図２】歯間ブラシ付き歯ブラシの実施方法を示した側面を示す断面図である。（実施例１）
【図３】歯間ブラシ付き歯ブラシのキャップ部の実施方法を示した拡大正面を示す断面図である。（実施例１）
【図４】歯間ブラシ付き歯ブラシのキャップ部の実施方法を示した拡大側面を示す断面図である。（実施例１）
【図５】歯間ブラシ付き歯ブラシの実施方法を示した正面を示す断面図である。（実施例２）
【図６】歯間ブラシ付き歯ブラシの実施方法を示した側面を示す断面図である。（実施例２）
【図７】歯間ブラシ付き歯ブラシの実施方法を示した正面を示す説明図である。（実施例２）
【図８】歯間ブラシ付き歯ブラシの実施方法を示した説明図である。（実施例２）
【図９】歯間ブラシを歯ブラシの柄に装着するための実施方法を示した説明図である。（実施例２）
【図１０】歯間ブラシを収納凹部に収納する実施方法を示した説明図である。（実施例２）
【符号の説明】
【００１８】
１，１１    歯ブラシの柄
２    歯間ブラシ収納部
３    歯間ブラシ軸
４    歯間ブラシ
５    押圧部
６    取り付け穴
７、７ａ、７ｂ    溝部
８    くびれ部
９    底部
１０    歯間ブラシ入れキャップ
１２    キャップ止め部
【図１】
0003111142.tif 000003
【図２】
0003111142.tif 000004
【図３】
0003111142.tif 000005
【図４】
0003111142.tif 000006
【図５】
0003111142.tif 000007
【図６】
0003111142.tif 000008
【図７】
0003111142.tif 000009
【図８】
0003111142.tif 000010
【図９】
0003111142.tif 000011
【図１０】
0003111142.tif 000012